(57)【要約】  イオン化された物質を第１の方向に移動させる移動装置（３０）を提供する。移動装置（３０）はドリフトチューブ（５０）を有し、ドリフトチューブ（５０）は、外郭を構成する電極プレート（７１）および（７２）と、チューブ内に配置された複数のリング電極（６０、６１、６２）とを含む。リング電極（６０）は、イオン化された物質を軸方向の第１の方向に進行させるリニア駆動用の第１の交流電界を形成する。電極プレート（７１）および（７２）は、イオン化された物質の進行方向を偏向させる非対称な第２の交流電界を形成する。
2012029315.tif 000002
【特許請求の範囲】
【請求項１】
イオン化された物質を第１の方向に移動させる移動装置であって、
前記第１の方向に並んだ複数の第１の電極であって、当該複数の第１の電極の少なくとも一部の隣接する電極間に形成される電界方向が定期的に反転し、イオン化された物質の少なくとも一部を前記第１の方向に進行させるリニア駆動用の第１の交流電界を形成する複数の第１の電極と、
前記第１の方向と異なる第２の方向に並び、イオン化された物質の少なくとも一部の進行方向を前記第２の方向に偏向させる非対称な第２の交流電界を形成する複数の第２の電極とを有する移動装置。
【請求項２】
請求項１において、前記複数の第１の電極は、前記複数の第２の電極が形成する第２の交流電界内に配置されている、移動装置。
【請求項３】
請求項２において、前記複数の第１の電極は、前記複数の第２の電極の対面する２つの電極のほぼ中間に前記第１の方向に並んで配置された複数のリング状電極を含む、移動装置。
【請求項４】
請求項３において、前記複数の第２の電極の対面する２つの電極は、筒状の流路を形成し、前記複数のリング状電極は、前記筒状の流路の中心線に沿って配置されている、移動装置。
【請求項５】
請求項１ないし４のいずれかにおいて、前記第２の交流電界は、交流成分および直流成分を含む、移動装置。
【請求項６】
請求項１ないし５のいずれかに記載の移動装置と、
前記移動装置に流入する物質をイオン化するイオン化ユニットと、
前記移動装置から吐出された物質を検出する検出器とを有する、装置。
【請求項７】
請求項６において、前記移動装置から吐出された物質を蓄積するアキュムレータをさらに有する、装置。
【請求項８】
請求項７において、前記アキュムレータから前記移動装置の入り口側へ前記アキュムレータ内の物質を供給するフィードバックパスをさらに有する、装置。
【請求項９】
請求項１ないし５のいずれかに記載の移動装置を複数有する装置であって、
前記複数の移動装置のそれぞれから吐出された物質を蓄積する反応チャンバーと、
前記反応チャンバー内の物質に反応エネルギーを供給するエネルギー供給ユニットとを有する装置。
【請求項１０】
請求項９において、前記複数の移動装置のそれぞれに供給される物質を蓄積する複数のアキュムレータと、
前記複数のアキュムレータのそれぞれに物質を供給する複数の供給用の移動装置とを有し、
前記複数の供給用の移動装置のそれぞれは、請求項１ないし５のいずれかに記載された移動装置である、装置。
【請求項１１】
請求項６ないし１０のいずれかに記載の装置を有する携帯端末。
【請求項１２】
第１の方向に並んだ複数の第１の電極と第２の方向に並んだ複数の第２の電極とを含む移動装置によりイオン化された物質を第１の方向に移動させることを含む方法であって、
前記移動させることは、
前記複数の第１の電極にリニア駆動用の第１の交流電界を形成させることと、
前記複数の第２の電極に非対称な第２の交流電界を形成させることとを有する、方法。
【請求項１３】
請求項１２において、
前記移動させることは、イオン化された物質を検出器に向けて移動させることを含む、方法。
【請求項１４】
請求項１２または１３において、
前記移動させることは、イオン化された物質をアキュムレータに向けて移動させることを含む、方法。
【請求項１５】
請求項１２ないし１４のいずれかにおいて、
前記移動させることは、イオン化された物質を反応チャンバーに向けて移動させることを含む、方法。
【発明の詳細な説明】
【技術分野】
【０００１】
本発明は、イオン化された物質を移動させる装置に関するものである。
【背景技術】
【０００２】
高感度に化学物質を検出、分析する技術として、近年フィールド非対称性イオン移動度分光計（ＦＡＩＭＳ）と呼ばれる装置が注目を集めている。この装置では、センサーに印加する直流電圧と交流電圧を変化させることにより、イオン化された化学物質の移動度の変化を、微細なフィルタによって検出し、その検出結果の差異により化学物質を特定することが可能である。【０００３】
特表２００８−５０８６９３号公報（国際公開ＷＯ２００６／０１３３９６）には、複数の電極を有する少なくとも１つのイオンチャネルの形状のイオンフィルタを有するイオン移動度分光計について記載されている。このイオン移動度分光計では、導電層に印加される時間変化する電位により、充填剤はイオン種を選択的に入れることができる。電位は、駆動電界成分および横電界成分を有し、好ましい実施形態において、電極のそれぞれは、駆動電界および横電界の両方の成分を生成するのに関与する。デバイスは、ドリフトガスフローがなくても用いることができる。
【発明の概要】
【０００４】
イオン移動度を測定する技術としてＦＡＩＭＳ（ＦＡＩＭＳ、Ｆｉｅｌｄ  Ａｓｙｍｍｅｔｒｉｃ  ｗａｖｅｆｏｒｍ  Ｉｏｎ  Ｍｏｂｉｌｉｔｙ  Ｓｐｅｃｔｒｏｍｅｔｒｙ、フィールド非対称質量分析計、またはＤＩＭＳ、Ｄｉｆｆｅｒｅｎｔｉａｌ  Ｉｏｎ  Ｍｏｂｉｌｉｔｙ  Ｓｐｅｃｔｒｏｍｅｔｒｙ）技術が知られている。ＦＡＩＭＳ技術は、測定対象となる化学物質をイオン化し、イオン移動度が化学物質毎にユニークである性質を利用して、キャリアガス（バッファガス）中を移動させながら、差動型電圧（ＤＶ、Ｄｉｓｐｅｒｓｉｏｎ Ｖｏｌｔａｇｅ、Ｖｄ電圧、交流電圧、電界電圧Ｖｒｆ、以降ではＶｆ）と補償電圧（ＣＶ、Ｃｏｍｐｅｎｓａｔｉｏｎ Ｖｏｌｔａｇｅ、Ｖｃ電圧、補償電圧、直流電圧、以降ではＶｃ）を変化させて、高電界と低電界とを非対称に交互に切り替える。これにより、目標外の化学物質は飛行途中で電界を生成させる電極（プレート）に衝突して電荷を失い検出されない。一方、検出目標のイオン化された化学物質は、この電圧Ｖｆと電圧Ｖｃの条件が適切に制御されれば、検出器まで到達し、検出器に流れる電流値として検出できる。
【０００５】
本発明の一態様は、イオン化された物質を第１の方向に移動させる移動装置である。この移動装置は、第１の方向に並んだ複数の第１の電極であって、当該複数の第１の電極の少なくとも一部の隣接する電極間に形成される電界方向が定期的に反転し、イオン化された物質の少なくとも一部を第１の方向に進行させるリニア駆動用の第１の交流電界を形成する複数の第１の電極と、第１の方向と異なる第２の方向に並び、イオン化された物質の少なくとも一部の進行方向を第２の方向に偏向させる非対称な第２の交流電界を形成する複数の第２の電極とを有する。
【０００６】
この移動装置においては、複数の第１の電極の少なくとも一部の隣接する電極間に形成される電界方向が定期的に反転する。典型的には、複数の第１の電極は、隣接する電極同士の極性が定期的に（短い周期で）反転するようにスイッチングされる。したがって、複数の第１の電極によりリニア駆動用の第１の交流電界が形成され、複数の第１の電極はイオン化された物質に対しリニア静電モータとして機能する。第１の方向は直線であっても曲線であってもよい。
【０００７】
電場中のイオンの平均移動速度ｖｄは以下の式（１）で与えられる。
ｖｄ＝ＫＥ  ・・・（１）
ここで、Ｅは電場の強さであり、Ｋは移動度（イオン移動度）であり、各化学物質（分子、原子、ガス成分、組成物など）でユニークなパラメータである。したがって、イオン移動度と、電場の強さと、スイッチング速度（周波数）とを含む第１の交流電界の条件に合致（同期）した化学物質が第１の方向に移動され、移動装置から出力される。また、移動装置内では、第１の交流電界の条件に合致（同期）した化学物質の濃度が減るので、その化学物質が実質的に移動装置に吸い込まれる。
【０００８】
第２の方向に並んだ複数の第２の電極により形成される非対称な第２の交流電界は、ＦＡＩＭＳ技術で示したように、イオン移動度が第２の交流電界の条件に合致した化学物質が第２の電極間に留まる。したがって、この移動装置においては、第２の交流電界の条件に合致した化学物質が第２の電極間に留まり、その化学物質が第１の交流電界の条件に合致していれば高速で第１の方向に移動される。このため、高い選択性能を備え、微量でも特定の化学物質を効率よく移動させることが可能な移動装置を提供できる。
【０００９】
リニア静電駆動を可能にする第１の交流電界を形成するためには高い電界強度を必要とするが、マイクロマシンまたはＭＥＭＳ技術により複数の第１の電極間の距離を狭めることで、非常に高い電圧を用いなくてもイオン化された化学物質を移動できる。また、コンパクトな移動装置を提供できる。
【００１０】
複数の第１の電極は、複数の第２の電極が形成する第２の交流電界内に配置されていることが好ましい。たとえば、複数の第１の電極は、複数の第２の電極の中の、対面する２つの電極のほぼ中間に第１の方向に並んで配置された複数のリング状電極を含むものである。さらに、複数の第２の電極の対面する２つの電極は、筒状の流路を形成し、複数のリング状電極は、筒状の流路の中心線に沿って配置されていることが好ましい。第２の交流電界の一例は、交流成分および直流成分を含むものである。
【００１１】
本発明の他の態様の１つは、上記の移動装置と、移動装置に流入する物質をイオン化するイオン化ユニットと、移動装置から吐出された物質を検出する検出器とを有する装置（イオン移動度センサー、検出装置、測定装置）である。移動装置は、第１の交流電界および第２の交流電界の条件に合致した化学物質を検出器に送る。したがって、分離能力（解像度）の高いイオン移動度センサーおよびそれを用いた検出装置を提供できる。また、このセンサーにおいては、第１の交流電界によりセンサーの内部で随時、イオン化された化学物質を加速できる。このため、イオン化された化合物の移動距離を長くすることが可能であり、さらに分離あるいは選択性能の高いセンサーを提供できる。
【００１２】
移動装置から吐出された物質を蓄積するアキュムレータを設けることも有効である。検出器で確認された化学物質を選択的にアキュムレータに蓄積できる。アキュムレータに蓄積された化学物質は、フィードバックパスを介して移動装置に供給し、移動装置で再選別させ、検出精度を上げたり、さらに純度の高い化学物質をアキュムレータに蓄積したりすることが可能である。
【００１３】
本発明の他の態様の１つは、上記の移動装置を複数有する合成装置である。合成装置は、複数の移動装置のそれぞれから吐出された物質を蓄積する反応チャンバーと、反応チャンバー内の物質に反応エネルギーを供給する供給ユニットとを有する。移動装置により空気中などから合成に必要な化学物質を分子レベルで選択し、反応チャンバーに送り、所望の化学物質を合成できる。
【００１４】
合成装置は、さらに、複数の移動装置のそれぞれに供給される物質を蓄積する複数のアキュムレータと、複数のアキュムレータのそれぞれに物質を供給する複数の移動装置とを有することも有効である。移動装置により、大気中などから合成のソースとなる化学物質を分子レベルで選択し、アキュムレータに事前に蓄積できる。
【００１５】
本発明の他の態様の１つは、移動装置を含む検出装置および／または合成装置を有する端末である。本発明の移動装置は、ターゲットの化学物質（分子、原子）を自吸できる。さらに、この移動装置をＭＥＭＳあるいはマイクロマシンにより実現することが好ましい。したがって、移動装置を用いた各種の装置は、移動装置の他のポンプを省略でき、全体を非常にコンパクトに纏めることができる。このため、移動装置を用いた装置を携帯電話やスマートフォンなどの携帯端末に搭載することが可能となる。
【００１６】
本発明の他の態様の１つは、第１の方向に並んだ複数の第１の電極と第２の方向に並んだ複数の第２の電極とを含む移動装置によりイオン化された物質を第１の方向に移動させることを含む方法、たとえば、制御方法である。移動させることは以下のステップを含む。
・複数の第１の電極にリニア駆動用の第１の交流電界を形成させること。
・複数の第２の電極に非対称な第２の交流電界を形成させること。
【００１７】
移動させることは、イオン化された物質を検出器に向けて移動させることを含んでいてもよい。また、移動させることは、イオン化された物質を反応チャンバーに向けて移動させることを含んでいてもよい。
【図面の簡単な説明】
【００１８】
【図１】イオン移動度センサーの概略構成を示す図。
【図２】ドリフトチューブの構成を示す断面図。
【図３】ドリフトチューブの構成を示す他の方向の断面図。
【図４】非対称な交流電界を形成する電圧変化を示す図。
【図５】リニア駆動用の交流電界の変動を示す図。
【図６】ドリフトチューブにおいてイオンが移動する様子を示す図。
【図７】電界スイッチング速度を変えることによりイオン電流が変化する様子を示す図であり、図７（ａ）は第１のスイッチング速度、図７（ｂ）は第２のスイッチング速度、図７（ｃ）は第３のスイッチング速度により得られる電流値の変化を示す。
【図８】ソフトウェア制御ユニットの処理の一例を示すフローチャート。
【図９】フィードバックユニットの使用状態を示す図。
【図１０】合成装置の概略構成を示す図。
【図１１】移動ユニットの概略構成を示す図。
【図１２】イオン移動度センサーの異なる例を示す図。
【図１３】イオン移動度センサーが搭載された携帯端末を示す図。
【発明の実施の形態】
【００１９】
図１に、本発明に関わるイオン移動度センサーの概要を示している。このセンサー１０は、大気または呼気などのサンプルガス１の吸引口１１と、吸引されたサンプルガス１に含まれる粒子などの異物を除去するフィルタ１２と、サンプルガス１に含まれる成分を適当な方法でイオン化するイオン化ユニット１３と、イオン化された物質（化学物質）を、交流電場を用いて移動する移動ユニット（イオンフィーダ、イオンコンベア）３０と、移動ユニット３０により搬送された化学物質を検出する検出器１５とを有する。移動ユニット３０は、Ｕ字型のドリフトチューブ（フィーダ）５０を備えており、イオン化ユニット１３に入力側の端５１が繋がった一方の直管部５２が導入管となり、他方の直管部５５が放出管となり、放出管５５の先端５６が検出器１５に連通している。導入管５２の端５３と放出管５５の端５４とが曲管５７により接続されている。
【００２０】
イオン化ユニット１３は、放射線源（Ｎ６３）によりイオン化するタイプ、コロナ放電によりイオン化するタイプあるいはその他のタイプであってもよい。検出器１５は、イオン化された化学物質が到達すると電流値として到達した化学物質の量を測定する検出用電極１５ａを含む。また、検出器１５は、検出器１５の環境条件、たとえば、温度、湿度、圧力、流量などを取得するためのセンサー群１５ｓを含む。
【００２１】
センサー１０は、さらに、移動ユニット３０の導入管５２の放出側の端５３と入力側の端５１とを連通するフィードバックユニット２００を含む。フィードバックユニット２００は、移動ユニット３０の導入管５２の放出側の端５３に連通したアキュムレータ（分離チャンバー）２０１と、アキュムレータ２０１と移動ユニット３０の入力側の端５１とを連通するバイパス管２０２と、バイパス管２０２の出口（移動ユニット３０の入力側）に設けられたイオン化ユニット２０３とを含む。フィードバックユニット２００は、さらに、アキュムレータ２０１の内圧を制御する不活性ガスボンベ（バッファ）２０４と、アキュムレータ２０１をクリーンアップする真空排気ユニット２０５とを含む。
【００２２】
さらに、フィードバックユニット２００は、ラインを切り替えるためのバルブ２１１〜２１５と、フィードバックユニット２００の環境情報を取得するためのセンサー群２２１および２２２を含む。
【００２３】
移動ユニット３０のドリフトチューブ５０は、典型的には全体が円筒状で直径が１μｍ〜１０ｍｍであり、好ましくは１０〜１０００μｍであり、さらに好ましくは、１０〜５００μｍである。ドリフトチューブ５０は、半円筒状の２枚の電極プレート（第２の電極、半円筒状電極）７１および７２を含む。これらの電極プレート７１および７２は絶縁体を挟んでチューブ５０の外郭を構成するように組み立てられている。電極プレート７１および７２は、導入管５２を構成するグループと、曲管５７および放出管５５を構成するグループとに分離されており、各々のグループにより独立した電界を形成できるようになっている。なお、印加される電圧を高くできる状況であれば、ドリフトチューブ５０の直径はさらに大きくてもよい。また、ドリフトチューブ５０は断面が角型、たとえば正方形または長方形のチューブであってもよい。
【００２４】
ドリフトチューブ５０は、さらに、電極プレート７１および７２の中心付近に、ドリフトチューブ５０の軸方向Ｘに配置されたリング状の複数の電極（第１の電極）６０を有する。リング状電極６０は、適当な間隔で配置されており、隣接する電極、たとえば、奇数番目の電極６１と偶数番目の電極６２には相互に異なる極性の電圧が印加される。電極６０間の距離は、たとえば１μｍ〜１０００μｍであり、好ましくは１０〜５００μｍである。リング状電極６０の直径は、１μｍ〜１０００μｍであり、好ましくは、１０〜５００μｍであり、さらに好ましくは１０〜１００μｍである。なお、印加される電圧を高くできる状況であれば、リング状電極の各サイズはさらに大きくてもよい。複数のリング状電極６０は、導入管５２内に電界を形成するグループと、曲管５７および放出管５５の内部に電界を形成するグループとに分離されており、各々のグループにより独立した電界を形成できるようになっている。
【００２５】
センサー１０は、リング状電極６０および電極プレート７１および７２に電力を供給してこれらの電極により形成される電界を制御する駆動制御ユニット１００を有する。駆動制御ユニット（制御ユニット）１００は、リング状電極６０によりリニア駆動用の第１の交流電界を形成させる第１の電界制御ユニット１１０と、電極プレート７１および７２により非対称な第２の交流電界を形成させる第２の電界制御ユニット１２０とを含む。
【００２６】
第１の電界制御ユニット１１０は、リング状電極６０の奇数番目の電極６１と偶数番目の電極６２とに印加される電圧Ｖｄ１およびＶｄ２の極性を定期的に切り替えて、隣接する電極６１および６２の間に形成される電界方向を定期的に反転させる。これにより、サンプルガス１に含まれるイオン化された化学物質（イオン化されたターゲットケミカル、以降ではイオンまたはイオン化された分子）５を軸方向（第１の方向）Ｘに移動させるリニア駆動用の第１の交流電界がリング状電極６０により形成される。電圧Ｖｄ１およびＶｄ２は０．１〜５０ＭＨｚ程度、１０〜２００Ｖ程度の交流電圧またはパルス状にスイッチングされた電圧である。電圧Ｖｄ１およびＶｄ２の周波数および電圧値は電極６０のサイズおよび間隔に依存し、上記の範囲でなくてもよい。
【００２７】
第２の電界制御ユニット１２０は、電極プレート７１および７２に、交流電圧（交流電界）Ｖｆと補償電圧Ｖｃとを印加し、軸方向Ｘと直交するＹ方向（第２の方向）に非対称な交流電界を形成する。交流電圧Ｖｆは、０．１〜５０ＭＨｚ程度、１０〜２００Ｖ程度の高周波であり、補償電圧Ｖｃは交流電圧の範囲内で非対称な電界を形成するのに適した直流電圧である。交流電圧Ｖｆおよび直流電圧Ｖｃの周波数および電圧値は電極プレート７１のサイズおよびギャップに依存し、上記の範囲でなくてもよい。
【００２８】
駆動制御ユニット１００は、さらに、移動ユニット３０により検出器１５に放出されたターゲットの化学物質５の量を電流値として取得する測定ユニット１３０と、フィードバックユニット２００の監視および制御を行うフィードバック制御ユニット１４０と、検出器１５から得られる測定値に基づいて電界制御ユニット１１０および１２０の設定値などをソフトウェアにより変更するソフトウェア制御ユニット１５０と、シミュレータ１６０と、データベース１７０とを含む。測定ユニット１３０は、測定値である電流値に加え、検出器１５のセンサー群１５ｓから環境情報を取得し、測定値を補正する。フィードバック制御ユニット１４０は、フィードバックユニット２００に設けられたバルブ２１１〜２１５を制御してライン切替を行い、さらに、センサー群２２１および２２２の値を取得してフィードバックユニット２００の各部分、たとえば、アキュムレータ２０１の状態などを監視する。
【００２９】
図２は、ドリフトチューブ５０を、サンプルガス１の流入方向、すなわち軸方向Ｘに直交する方向Ｙに沿って切った断面図である。図３は、ドリフトチューブ５０を、サンプルガス１の流入方向、すなわち軸方向Ｘに沿って切った断面図である。チューブ５０は、半円筒状の２枚の電極プレート７１および７２が絶縁体７８および７９を挟んで組み立てられ、筒状の外郭を構成している。
【００３０】
ドリフトチューブ５０の中心付近に、軸方向Ｘに沿ってリング状の微小電極６１および６２が適当な間隔で配置されている。それぞれの電極６１および６２は、リング状の先端部６３と、先端部６３に電力を供給するように絶縁体７８および７９を貫通してドリフトチューブ５０の外側に表れたリード６４とを含む。図２および図３では、奇数番の電極６１のリード６４と偶数番の電極６２のリード６４とを異なる方向に導いて、それらのリード６４に極性の異なる電圧Ｖｄ１およびＶｄ２を印加しやすい構成としている。しかしながら、電極６１および６２のリード６４の配置はこれに限定されない。
【００３１】
図４に、電極プレート７１および７２に印加される非対称な交流電圧の一例を示している。交流電圧（交流電界）Ｖｆと直流の補償電圧Ｖｃとを組み合わせることにより、時刻ｔ１１、ｔ１２、ｔ１３にパルス状に変化する非対称な交流電界７５が形成される。また、補償電圧Ｖｃを変えることにより矢印７６に示すように電界７５の非対称性が変わり、ドリフトチューブ５０を通過するイオン５のＹ方向への変位（偏向）を制御することができる。
【００３２】
図５に、リング状の微小電極６１および６２を介して極性の異なる電圧（駆動電圧）Ｖｄ１およびＶｄ２が印加される様子を示している。本図に示すように、ドリフトチューブ５０の微小電極６１および６２にそれぞれ印加される電圧Ｖｄ１およびＶｄ２は、時間が時刻ｔ０、ｔ１〜ｔ２２、ｔ２３と経過すると、所定の時間間隔で極性が相互に異なるようにスイッチングされる。その結果、軸方向Ｘにリニア駆動用の第１の交流電界６５が形成される。
【００３３】
図６に、ドリフトチューブ５０の内部におけるイオン化された分子５が移動する様子を模式的に示している。微小電極６１および６２に供給される駆動電圧Ｖｄ１およびＶｄ２により形成される駆動用の第１の交流電界６５の周波数ｆ１および電界強度Ｅ１と、ターゲットの分子５の移動度Ｋとの関係が合致（同期）すると、実線の矢印６に示したように、同期した分子５はリニアモーターの原理によりドリフトチューブ５０の軸方向Ｘに加速される。ドリフトチューブ５０を通過したイオン５は、ドリフトチューブ５０の出口５６に用意されている検出器１５の検出用電極１５ａに到達し、イオン電流として検出される。
【００３４】
一方、移動度Ｋが、微小電極６１および６２により形成される駆動用の交流電界６５の周波数と合致（同期）しない分子は、破線の矢印７に示すように、電極プレート７１または７２の方向に偏向し、電極プレート７１または７２に接触して放電する。したがって、検出器１５ではイオン電流として検出されない。すなわち、イオン化された分子５が電極７１または７２に衝突するとチャージを喪失するので、検出器１５ではその物質電流値は計測されず、そのような分子がドリフトチューブ５０を通過したとしても検出器１５では検出されない。イオン化された分子が微小電極６１または６２に接触した場合も同様である。
【００３５】
すなわち、リング状の微小電極６１および６２は、電極プレート７１および７２が構成するドリフトチューブ５０の中心軸Ｘに沿って配置されており、電極プレート７１および７２の中間に位置し、電極プレート７１および７２により形成される非対称な第２の交流電界７５の内部に配置される。したがって、ドリフトチューブ５０に吸引されたイオン化された分子５は、リニア駆動用の第１の交流電界６５の影響を受けるとともに、電極プレート７１および７２によりＹ方向に形成される非対称な第２の交流電界７５の影響を受ける。このため、リニア駆動用の第１の交流電界６５でチューブ５０の内部を移動しない分子５は、第２の交流電界７５の影響を受けてリング状の微小電極６１および６２の範囲から外れ、電荷を喪失する。
【００３６】
また、非対称な電場によりイオン化された化学物質のフィルタリングを行うＦＡＩＭＳ技術では、交流電圧Ｖｆと直流の補償電圧Ｖｃにより形成される非対称な交流電界（交流電場）７５とイオン移動度Ｋとの関係が合致する分子（目標化学物質）５は、電極プレート７１および７２の中心付近に集中することが知られている。したがって、電極プレート７１および７２の中心付近に配置されたリング状電極６１および６２により形成されるリニア駆動用の第１の交流電界（交流電場）６５の条件を、非対称な第２の交流電界７５により集められる分子５のイオン移動度Ｋと同期させることにより、非対称な第２の交流電界７５によりフィルタリングされた分子５をドリフトチューブ５０により所定の方向Ｘへ搬送することができる。このため、キャリアガスによらず、直接、目標化学物質５をドリフトチューブ５０により所望の方向へ、たとえば、検出器１５の側に送り込むことができる。
【００３７】
図７（ａ）〜（ｃ）に、リニア駆動用の第１の交流電界６５を形成する電圧Ｖｄ１およびＶｄ２の周波数（電界スイッチング速度）と、それにより検出されるイオン電流の幾つかの例を示している。電界スイッチング速度を変えることにより、移動ユニット３０のドリフトチューブ５０により搬送されるイオン５が変わり、センサー１５に送り込まれるイオン５が変わる。したがって、センサー１５を通過するイオン５が変わり、イオン電流の値（スペクトル）が変化する。
【００３８】
この移動ユニット３０においては、駆動制御ユニット１００を用い、リニア駆動用の第１の交流電界６５の条件および非対称な第２の交流電界７５の条件のいずれか一方または両方をソフトウェアにより制御できる。特に、リニア駆動用の第１の交流電界６５の条件をソフトウェアにより制御することにより、移動ユニット３０のドリフトチューブ５０を流れる分子（サンプルガス）の流速を制御できる。このため、機械式にキャリアガスの流量を制御する場合と比較して、ドリフトチューブ５０内のガス流量（ガス流速）を細かく制御できる。したがって、移動ユニット３０を備えたセンサー１０においては、イオン５のドリフト速度をいっそう細かく制御することにより、安定した精度の高い測定が可能となる。
【００３９】
例えば、イオン化された測定対象の化学物質は、基本的に第２の交流電界７５を形成する交流電圧Ｖｆの値と補償電圧Ｖｃの値により選択的に測定することが可能となる。さらに、リニア駆動用の第１の交流電界６５を測定対象のイオン化された化学物質に合うように発生させることで、移動ユニット３０の選択性（フィルタリング性能）を向上できる。したがって、移動ユニット３０により送り込まれたイオン５を検出する検出器１５の検出電流値（波形）がより鮮明で精度の高いものになることが期待される。また、リニア駆動用の第１の交流電界６５のスイッチング速度も、検出器１５において検出された電流値（測定値）を目標に、より感度の高い組み合わせをソフトウェア制御ユニット１５０により、調整・発見することが可能となる。したがって、このセンサー１０においては、ソフトウェア制御により、ターゲットのイオン５を検出するための第１の交流電界６５の条件（スイッチング速度）を、広いスイッチングレンジで変化させ、それに対して得られる検出電流値（ピーク波形）の特性から、より検出効率の良い条件を探す。そして、最終的には、センサー１０によりターゲットのイオン５を検出する条件をスイートスポットとして決定する。
【００４０】
図８に、ソフトウェア制御ユニット１５０における処理の一例を示している。ステップ３０１で、データベース１７０に用意されている流速制御テーブルと電界スイッチング・テーブル変換表から、初期値とステップ数を取り出し、電界スイッチングを開始する（初期化）。これにより、移動ユニット３０のドリフトチューブ５０の内部にリング状電極６１および６２によりリニア駆動用の第１の交流電界６５が形成される。
【００４１】
ステップ３０２で、測定ユニット１３０を介して検出器１５の電流値を取得する。電流値は移動ユニット３０により検出器１５に送り込まれたイオン化された化学物質の量を示す。ステップ３０３において電流値がゼロであれば、ステップ３０４において、指定されたステップ数を増加させて電界スイッチングを変更し、リニア駆動用の第１の交流電界６５の条件を変更する。
【００４２】
電流値がゼロでなければ、ステップ３０５において、今回の測定に際し移動ユニット３０のドリフトチューブ５０の非対称の第２の交流電界７５を形成する条件、すなわち、交流電圧Ｖｆおよび補償電圧Ｖｃと、検出器１５から得られた電流ピーク値とをグループ化して相関を取る。データベース１７０に用意されている、各化学物質のプロファイル、たとえば標準的な状態における交流電圧Ｖｆおよび補償電圧Ｖｃとピークとの相関を、今回の測定条件（環境条件を含め）に合うようにシミュレータ１６０を用いてシミュレーションし、シミュレーション判定テーブルを生成する。そして、得られた相関と、シミュレーション判定テーブルとを比較して評価関数を新しく計算する。
【００４３】
ステップ３０６で、評価関数の値が過去の測定より増加しないのであれば、ステップ３０４においてリニア駆動用の第１の交流電界６５の条件を変更する。
【００４４】
一方、ステップ３０６で、評価関数の値が過去の測定より増加したのであれば、ステップ３０７で今回測定した第２の交流電界の条件ＶｆおよびＶｃと電流ピーク値との相関を加味してシミュレーション判定テーブルを更新する。必要があれば、評価関数の係数値を更新する。
【００４５】
ステップ３０８において、検出器１５で得られた電流値全体のピークに改善が見られる場合は、移動ユニット３０のドリフトチューブ５０に形成される第１の交流電界６５および第２の交流電界７５の条件を維持し、センサー１０における測定を続ける。改善が見られない場合は、ステップ３０９でシュミレーテッド・アニーリングや乱数によるカット＆トライによるパラメータ変更を行い、測定ピーク改善の可能性を計算する。
【００４６】
この移動ユニット３０を採用したセンサー１０においては、移動ユニット３０により所望のイオン５をフィルタリングするとともに自律的に搬送し、検出器１５に送り込む。したがって、キャリアガスによらず、直接、目標化学物質を検出器側に送り込むことができる。移動ユニット３０のドリフトチューブ５０においては、第１の交流電界６５と第２の交流電界７５とにより目標の化学物質が濃縮される傾向があり、ドリフトチューブ５０の内部での分圧が高くなったり、濃度が高くなったりして分子間衝突が激しくなる可能性がある。したがって、導入するサンプルガス１に含まれる目標化学物質の濃度はある程度低いレベルであることが望ましい。逆に、従来のキャリアガスのように大きなガス流量を必要としないので、サンプルガス１の濃度を強制的に高くしたりしなくてもよい。このため、低濃度の化学物質でも検出できる精度の高いセンサー１０を提供できる。
【００４７】
この方式の移動ユニット３０を採用したセンサー１０の他の優れた点は、ＦＡＩＭＳの場合、測定対象のイオン化された化学物質の濃度があるレベルを超えると、電流値の測定可能範囲を超えてしまうが、移動ユニット３０で検出器１５に到達する化学物質の量を制限することにより測定可能な範囲に収めることができることである。すなわち、検出器１５の電流値をモニターしながら、移動ユニット３０の移動速度を自動で補正して、流量制御を電子的に行う自動測定を実現できる。キャラクタライゼーションが完了したデータベースにＦＡＩＭＳの特性、すなわち、第２の交流電界７５の条件が判明している化学物質に対しては、サンプルガス１に含まれる測定化学物質の濃度に応じ、移動ユニット３０において形成する第２の交流電界７５の条件と第１の交流電界６５の条件とを制御して検出器１５に至るサンプルの流量を変え、自動計測を実現することが可能である。
【００４８】
また、このセンサー１０においては、移動ユニット３０が、目標とする化学物質を選択的に吸引して送り出す。したがって、目標とする化学物質以外の物質を移動ユニット３０が吸い込む可能性は小さくなり、さらに、ゴミなどを含めて強制的にセンサーに送り込むキャリアガスを省くことができる。このため、通常、ＦＡＩＭＳ分析装置は、装置入力前にカーボン・ファイバーやマイクロフィルタを装着しているが、これらのフィルタを省ける可能性がある。これらのフィルタは、測定に影響を及ぼす危険性のある微粒子を除去する方式を採用するのが一般的ではあるが、系全体から見ると圧力低下要因であり、圧力を維持するためにさらに多量で高圧のキャリアガスが必要となる。このため、フィルタを大量に設けて一定圧力バランスを維持するためにはポンプの台数を増やす必要があり、コストアップの要因になっていた。
【００４９】
図９に、移動ユニット３０およびフィードバックユニット２００を備えたセンサー１０により化学物質を測定する処理の一例を示している。まず、フィードバック制御ユニット１４０が、ドリフトチューブ５０の入力側５１に設けられた第１の制御バルブ２１１を開けてサンプルガス１を入力する。上述しているように、移動ユニット３０は、イオンコンベアとしての機能を備えているので、メカニカルなポンプやキャリアガスを用いなくてもサンプルガス１を取得できる。すなわち、このイオンセンサー１０は、大気から自律的にサンプルガス１を吸入できる。
【００５０】
所定のガス量を吸い込むと、第１の制御バルブ２１１をクローズし、測定が終了する迄、開放しない。第１の制御バルブ２１１をオープンすると同時に、不活性ガス２０４をアキュムレータ２０１に導入するための第５の制御バルブ２１５はクローズし、アキュムレータ２０１とバイパス管２０２とを接続する第４の制御バルブ２１４もクローズにし、ドリフトチューブ５０の導入管５２の放出側５３とアキュムレータ２０１とを接続する第３の制御バルブ２１３をオープンする。
【００５１】
アキュムレータ（分離チャンバー）２０１は真空排気ユニット２０５により予め真空状態にされ、この段階ではアキュムレータ２０１は真空排気ユニット２０５から遮断されている。この状態でドリフトチューブ５０の第１の電極６０（６１および６２）によりリニア駆動用の第１の交流電界６５が形成され、第２の電極７１および７２により非対称な第２の交流電界７５が形成されると、ドリフトチューブ５０の導入管５２により、測定対象の化学物質５がサンプルガス１から分離され、アキュムレータ２０１に送り込まれる。
【００５２】
アキュムレータ２０１の内圧が外気圧と同じ１気圧に到達すると同時に、第３の制御バルブ２１３をクローズし、アキュムレータ２０１をドリフトチューブ５０から分離し、いったんドリフトチューブ５０をパージ（平衡状態）にする。たとえば、リニア駆動用の第１の交流電界６５および非対称な第２の交流電界７５をさまざまな条件で駆動し、ドリフトチューブ５０の内部に存在している物質の濃度バランスを平衡状態にする。その後、ドリフトチューブの入力側を大気に接続する第１の制御バルブ２１１をクローズする。
【００５３】
その後、バイパス管（フィードバックループ）２０２とドリフトチューブ５０の入力側５１とを接続する第２の制御バルブ２１２、不活性ガス２０４をアキュムレータ２０１に導入する第５の制御バルブ２１５、アキュムレータ２０１とバイパス管２０２とを接続する第４の制御バルブ２１４をオープンする。この操作により、アキュムレータ２０１に蓄積されたガスがイオン化ユニット２０３を介してドリフトチューブ５０にフィードバックされる。アキュムレータ２０１に蓄積されたガスに含まれる成分は、ドリフトチューブ５０によりフィルタリングされた成分が主であり、測定対象の化学物質５の濃度の高いガス（濃縮ガス）２となっている。
【００５４】
ドリフトチューブ５０の導入管５２を用いて、アキュムレータ２０１に蓄積されたガス（濃縮ガス）２の濃度をさらに上げる場合は、第２の制御バルブ２１２をオープンするとともに第３の制御バルブ２１３をオープンしてドリフトチューブ５０の導入管５１の放出側５３をアキュムレータ２０１に連通する。第５の制御バルブ２１５は、アキュムレータ２０１の内圧を外気圧と同じになるように、不活性ガス２０４をアキュムレータ２０１にスイッチング制御しながら徐々に導入する。これにより、一定圧力を保ちながらアキュムレータ２０１からバイパス管２０２への供給が強制的にではあるが、緩やかに行われる。この供給は、アキュムレータ２０１の内圧が極端に減圧せずに、適当なリターン（フィードバック）流量が確保できれば十分である。
【００５５】
サンプルガス１に含まれる測定対象の物質が非常に低濃度の場合は、複数回このフィードバックユニット２００を用いてドリフトチューブ５０にフィードバックすることにより、アキュムレータ２０１内の測定対象の化学物質の濃度を高くすることができる。アキュムレータ２０１は、たとえば、多孔質ガラスなどの吸着材が含まれたコンプレッシングチャンバーであってもよく、超小型の貯蔵庫を実現できる。濃度調整はフィードバックユニット２００を用いたフィードバック回数を記憶することで可能である。また、多孔質ガラスなどの温度を上昇させてアキュムレータ２０１に蓄積されていた化学物質を一挙に放出して濃度を高めることも可能である。
【００５６】
アキュムレータ２０１の濃縮ガス２に含まれる測定対象の化学物質の種類および濃度を検出器１５で検出する場合は、ドリフトチューブ５０とバイパス管２０２とを接続する第２の制御バルブ２１２をオープンし、ドリフトチューブ５０とアキュムレータ２０１とを接続する第３の制御バルブ２１３をクローズする。濃縮ガス２は、ドリフトチューブ５０の導入管５２、曲管５７および放出管５５により搬送され、放出管５５の放出側５６に取り付けられた検出器１５に放出される。そして、放出されたガスに含まれるイオン化された分子５が電流値として計測される。
【００５７】
このように、移動ユニット３０を備えたイオンセンサー１０は、サンプルガス１をセンサー１０に流すためのメカニカルなポンプを省略できる。すなわち、このセンサー１０においては、ポンプを使用してサンプルガス１を吸引あるいは供給してもよく、ポンプを使用しなくてもよい。
【００５８】
従来の非対称電場を用いてイオンを分離するＦＡＩＭＳセンサーでは、イオン化ユニットを通過した後、飛行経路を形成すると同時に２つの電極プレートに対して非対称な電圧を印加するが、サンプルガスを検出器側に流すために、一定の圧力で一定流量（流速）のガス流をメカニカルポンプにより生成している。これに対し、本例のセンサー１０に採用されている移動ユニット３０においては、非対称な交流電場を形成するシステムに加えて、微細加工された微小電極であって、隣接する電極の極性がプラスマイナスに相互に高速にスイッチングされる電極を設け、ドリフトチューブ５０の内部でイオンをリニア駆動している。したがって、イオン化された化学物質は、検出器の方向へ押し出されるように移動する。
【００５９】
このセンサー１０、またはこのセンサー１０を用いたセンサーシステムにおいては、従来のＦＡＩＭＳタイプのセンサーとは異なり、化学物質の分子量とイオン移動度、イオン量に応じて、目標とする化学物質を移動（搬送）するためのスイッチング制御を行う。このメカニズムにもイオン移動度が関連するため、目標とする化学物質を搬送するだけではなく、フィルタリングする効果も同時に得られる。したがって、目標とする化学物質が非常に低い濃度で大気中などに存在している場合であっても、それを標的として検出器１５まで搬送でき、低濃度でも確実に検出することが可能となる。
【００６０】
さらに、このセンサー１０は、移動ユニット３０を目標の化学物質をアキュムレータ２０１に集めて濃縮するために用いている。したがって、目標の化学物質をさらに感度よく検出することができる。
【００６１】
また、フィードバックユニット２００を設け、フィードバックループ（バイパス管）２０２を介して複数回分離したり、複数回測定をすることにより、イオン化された化学物質測定が陽子親和力や電子親和力のエネルギーの違いにより隠れて測定範囲に入らなくなるような物質の測定も可能となる。
【００６２】
すなわち、ＦＡＩＭＳ技術によりイオンを測定する場合、イオン化ユニットによって、間接イオン化を採用する場合があり、この場合、プロトン親和力や電子親和力により、測定対象サンプルとキャリアガス中に含まれる化学物質の組み合わせによっては、イオン授受（伝達）の比率が変化して、測定データが変化し、測定が困難になるケースがある。放射線源やコロナ放電等の間接イオン化を採用してサンプル分析や特定を行う場合、目標とする化学物質およびその組み合わせによっては、イオン化容易性が変化する。このため、目標する化学物質を絶対値としての（電流値だけでの）測定が非常に困難な場合があった。つまり、測定サンプルにより、運が良ければ、クリアで信頼性の高い測定が可能で、組み合わせによっては、ＵＶ（紫外線）による直接イオン化を行わないと測定が難しい場合があった。
【００６３】
これに対し、フィードバックユニット２００においては、濃度の高いガス２が形成されるだけではなく、バイパス管２０２を通過するたびにイオン化ユニット２０３でイオン化される。したがって、検出器１５に到達するガスの状態（イオン化状態）を安定させることが可能であり、安定した測定を行うことができる。
【００６４】
また、このイオンセンサー１０においては、移動ユニット３０が、イオン化された化学物質を電界差動ポンプのように機能するドリフトチューブ５０によりアキュムレータ２０１に送り込み、プロトン・アフィニティやエレクトロン・アフィニティのイオン化が容易なものから検出器１５に供給して順次測定して排気することができる。これにより、イオン化の優先順位が下位にある化学物質であっても、複数回、フィードバックループ２０２を通して測定を繰り返すことにより測定が可能となる。
【００６５】
また、ドリフトチューブ５０の特性（リニア駆動用の第１の交流電界の特性）を、プラスイオンを搬送するものと、マイナスイオンを搬送するものに切り替え、プラスマイナスのイオンを別々の条件で濃縮したり、検出したり、排出したりすることが可能となる。このように、ドリフトチューブ５０はさまざまな条件でイオンを選択および搬送できるので、ドリフトチューブ５０の往復回数を増加させることで、測定対象の化学物質の純度を選択的に上げ、より精度の高い計測結果を得ることができる。
【００６６】
図１０に、ナノ・レベルでのソフトウェア制御による化学物質の合成装置の概略構成を示している。この合成装置５００は、３つの移動ユニット（移動装置、イオンポンプ、イオンフィーダ、イオンコンベア、イオンインジェクタ）３０ａ、３０ｂおよび３０ｃと、それらの移動装置から化学物質が投入される化学反応チャンバー５１０と、化学反応チャンバー５１０に電場を加える電力供給ユニット（エネルギー供給ユニット）５２０と、電場をオンオフすることにより化学反応をスイッチング制御する反応制御ユニット５３０と、合成された製品を放出するポンプ５４０と、合成された製品の成分を確認するためのイオン移動度センサー１０とを含む。３つの移動ユニット３０ａ、３０ｂおよび３０ｃは、大気中の異なる成分（第１の成分、第２の成分、第３の成分）をそれぞれのアキュムレータに濃縮し、それぞれの成分を化学反応チャンバー５１０に投入する機能を含む。
【００６７】
図１１に、移動ユニット３０ａの構成を示している。他の移動ユニット３０ｂおよび３０ｃも同様の構成である。移動ユニット３０ａは、第１のドリフトチューブ５０ａと、フィードバックユニット２００とを含み、第１のドリフトチューブ５０ａにより、大気から所定の成分を選択してアキュムレータ２０１に搬送および貯蔵することができる。移動ユニット３０ａは、さらに、第２のドリフトチューブ５０ｂと検出器１５とを含む、これらによりイオン移動度センサー３９が構成される。したがって、ユニットにビルトインされたイオン移動度センサー３９によりアキュムレータ２０１に貯蔵された成分をモニタリングしたり、化学反応チャンバー５１０に投入（吐出）される成分をモニタリングすることができる。
【００６８】
この移動ユニット３０ａは、所定の成分を大気からアキュムレータ２０１に集めるドリフトチューブ５０ａが、アキュムレータ２０１から所定の成分を反応チャンバー５１０に供給するドリフトチューブとしての機能を兼ねているが、収集用のドリフトチューブと、供給用のドリフトチューブとをそれぞれ設けることも可能である。所定の成分の採取と、供給とを並列に行えるので、合成用のソース（資源）の枯渇を抑制できる。
【００６９】
それぞれの移動ユニット３０ａ〜３０ｃは、ドリフトチューブ５０ａの第１の交流電界および第２の交流電界の条件を制御することにより、極めて高い精度で大気中の分子を選択でき、それをアキュムレータ２０１に蓄積できる。さらに、ドリフトチューブ５０ａの第１の交流電界および第２の交流電界の条件を制御することにより、極めて微量な量の化学物質を搬送することが可能であり、分子単位に近いレベルで化学物質の量を制御できる可能性がある。したがって、化学反応チャンバー５１０により極めて微量の化学物質を合成することが可能となり、さらに、合成用の資源を大気中から集めることによりメンテナンスフリーに近い合成装置５００を提供できる。
【００７０】
化学反応を推進する適切な酵素や触媒を選択するために、従来は、膨大な時間と労力が必要だった。合成装置５００においては、より高い精度で、必要な化学物質を選択して、反応チャンバー５１０に誘導でき、化学物質の量、種類を制御することにより、さまざまな物質を連続的に、または瞬間的に、化学反応チャンバー５１０で合成できる。化学反応チャンバー５１０には、電力の他に、光、磁力などで合成用のエネルギーを与えてもよく、また、適当な触媒を内部に配置しておいてもよい。また、合成に時間を要してもよい場合は、化学反応を触媒や酵素により行わせることも可能であり、所望の反応を起こす触媒や酵素を選択する試験装置を使用することも可能である。
【００７１】
また、化学反応チャンバー５１０により生成された成分を、さらに合成用の資源としてフィードバックすることも可能である。合成装置５００を、適当に条件が設定された移動ユニット３０により化学反応チャンバー５１０の生成物を選択してアキュムレータ２０１に蓄積し、異なるタイミングで化学反応チャンバー５１０に供給するように構成することができる。たとえば、有機系の生成物のオリジナルのソースとして空気中の酸素と、窒素と、二酸化炭素とを選択し、化学反応チャンバー５１０で、まず、炭素数の少ない低級の有機物を合成し、次に、それらを資源として炭素数の多い高級の有機物を合成することが可能である。合成装置５００はさまざまな分野に適用できる。一例は、匂い発生装置である。
【００７２】
図１２に、移動ユニットを含むイオン移動度センサーの異なる例を示している。このセンサー６００は、入力ポート６０１と、イオン化ユニット６０２と、移動ユニット３０ｄと、検出器１５と、排気ポート６０３とを有する。移動ユニット３０ｄは、並列に配置された複数のドリフトチューブ５０を含む。複数のドリフトチューブ５０を並列に配置することにより吸引できるサンプルガスの量が増加する。１つのドリフトチューブ５０の好適なサイズは数μｍ〜数１００μｍである。したがって、複数のドリフトチューブ５０を並列に配置したとしてもイオン移動度センサー６００の全体のサイズは数ｍｍ〜数ｃｍであり、さらに、移動ユニット３０ｄはメカニカルなポンプが不用なので、極めて簡易な構成でコンパクトであり、簡単に携帯電話などの携帯端末にビルトインできるイオン移動度センサーを提供できる。
【００７３】
図１３に、携帯電話端末７００に、マイクロフォン７０１とともにイオン移動度センサー６００をビルトインした例を示している。この携帯電話端末７００は、ユーザーの呼気をイオン移動度センサー６００により常時モニタリングできる。したがって、呼気に含まれている化学物質をモニタリングすることにより、ユーザーの健康管理、病気の初期状態の発見、疾病の進行状態のモニタリングなどが可能となる。
【００７４】
なお、上記に示した例は移動装置を適用した装置あるいはシステムの一例であり、移動装置は、微量成分の選択および搬送（輸送）を必要とするアプリケーションに広く適用できる。
【図１】
2012029315.tif 000003
【図２】
2012029315.tif 000004
【図３】
2012029315.tif 000005
【図４】
2012029315.tif 000006
【図５】
2012029315.tif 000007
【図６】
2012029315.tif 000008
【図７】
2012029315.tif 000009
【図８】
2012029315.tif 000010
【図９】
2012029315.tif 000011
【図１０】
2012029315.tif 000012
【図１１】
2012029315.tif 000013
【図１２】
2012029315.tif 000014
【図１３】
2012029315.tif 000015
【手続補正書】
【提出日】平成24年6月29日(2012.6.29)
【手続補正１】
【補正対象書類名】特許請求の範囲
【補正対象項目名】全文
【補正方法】変更
【補正の内容】
【特許請求の範囲】
【請求項１】
イオン化された物質を第１の方向に移動させる移動装置であって、
前記第１の方向に並んで配置されたリング状の複数の第１の電極であって、当該複数の第１の電極の少なくとも一部の隣接する電極間に形成される電界方向が定期的に反転し、イオン化された物質の少なくとも一部を前記第１の方向に進行させるリニア駆動用の複数の第１の交流電界を形成する複数の第１の電極と、
前記複数の第１の電極の外側に配置され、前記第１の方向に直交する第２の方向に並び、イオン化された物質の流路の少なくとも一部を形成する複数の第２の電極であって、前記複数の第１の電極により形成される前記複数の第１の交流電界に対し直交する方向に共通の第２の交流電界を形成する複数の第２の電極であって、イオン化された物質の進行方向を前記第２の方向に偏向させる非対称な前記第２の交流電界を形成する複数の第２の電極とを有する移動装置。
【請求項２】
（削除）
【請求項３】
（削除）
【請求項４】
請求項１において、前記複数の第２の電極の対面する２つの電極は、筒状の流路を形成し、前記複数の第１の電極は、前記筒状の流路の中心線に沿って配置されている、移動装置。
【請求項５】
請求項１または４において、前記第２の交流電界は、交流成分および直流成分を含む、移動装置。
【請求項６】
請求項１、４または５のいずれかに記載の移動装置と、
前記移動装置に流入する物質をイオン化するイオン化ユニットと、
前記移動装置から吐出された物質を検出する検出器とを有する、装置。
【請求項７】
請求項６において、前記移動装置から吐出された物質を蓄積するアキュムレータをさらに有する、装置。
【請求項８】
請求項７において、前記アキュムレータから前記移動装置の入り口側へ前記アキュムレータ内の物質を供給するフィードバックパスをさらに有する、装置。
【請求項９】
請求項１、４または５のいずれかに記載の移動装置を複数有する装置であって、
前記複数の移動装置のそれぞれから吐出された物質を蓄積する反応チャンバーと、
前記反応チャンバー内の物質に電場または光を介して反応エネルギーを供給するエネルギー供給ユニットとを有する装置。
【請求項１０】
請求項９において、前記複数の移動装置のそれぞれに供給される物質を蓄積する複数のアキュムレータと、
前記複数のアキュムレータのそれぞれに物質を供給する複数の供給用の移動装置とを有し、
前記複数の供給用の移動装置のそれぞれは、請求項１、４または５のいずれかに記載された移動装置である、装置。
【請求項１１】
請求項６ないし１０のいずれかに記載の装置を有する携帯端末。
【請求項１２】
第１の方向に並んで配置されたリング状の複数の第１の電極と、前記複数の第２の電極の外側に配置され、前記第１の方向に直交する第２の方向に並んだ複数の第２の電極であってイオン化された物質の流路の少なくとも一部を形成する複数の第２の電極とを含む移動装置によりイオン化された物質を前記第１の方向に移動させることを含む方法であって、
前記移動させることは、
前記複数の第１の電極によりリニア駆動用の複数の第１の交流電界を形成させてイオン化された物質を前記第１の方向に移動させることと、
前記複数の第２の電極により前記複数の第１の交流電界に対し交差する共通で非対称な第２の交流電界を形成させてイオン化された物質の進行方向を前記第２の方向に偏向させることとを有する、方法。
【請求項１３】
請求項１２において、
前記移動させることは、イオン化された物質を検出器に向けて移動させることを含む、方法。
【請求項１４】
請求項１２または１３において、
前記移動させることは、イオン化された物質をアキュムレータに向けて移動させることを含む、方法。
【国際調査報告】
2012029315.tif 000016
2012029315.tif 000017
2012029315.tif 000018
2012029315.tif 000019